(57)【要約】【課題】配置個所の変更作業を容易なものとすること。【解決手段】前面に開口１ｂを有したケース本体１の内部に、互いに離隔する態様で前方に向けて配設された左右一対のブラケット部材２０と、それぞれがブラケット部材２０に係合手段を介して係合された支持部材３０と、支持部材３０間に架設され、上面４０ａが商品を載置する載置面を構成する棚板４０とを備えた商品載置棚１０を有するショーケースであって、係合手段は、ブラケット部材２０に対して支持部材３０を着脱可能に係合させたものである。【選択図】図１３
2019136333.tif 000002
【特許請求の範囲】
【請求項１】
前面に開口を有したケース本体の内部に、互いに離隔する態様で前方に向けて配設された左右一対のブラケット部材と、
それぞれが前記ブラケット部材に係合手段を介して係合された支持部材と、
前記支持部材間に架設され、上面が商品を載置する載置面を構成する棚板と
を備えた商品載置棚を有するショーケースであって、
前記係合手段は、前記ブラケット部材に対して前記支持部材を着脱可能に係合させたことを特徴とするショーケース。
【請求項２】
前記支持部材は、
前記ブラケット部材に前記係合手段により係合される長尺状の支持基部と、
前記支持基部の前端からの突出寸法が変化するよう該支持基部の長手方向に沿って移動可能に配設され、かつ前記棚板を支持するスライダと
を備えたことを特徴とする請求項１に記載のショーケース。
【請求項３】
前記スライダは、自身に形成された支持凹部に前記棚板に形成された支持凸部が進入することにより、該棚板を着脱可能に支持することを特徴とする請求項２に記載のショーケース。
【請求項４】
前記係合手段は、
前記ブラケット部材及び前記支持部材の一方に形成された係合溝と、
前記ブラケット部材及び前記支持部材の他方に形成された係合突起と
を備え、
前記係合突起が前記係合溝に進入して該係合溝の縁部に当接することにより、前記ブラケット部材に対して前記支持部材を着脱可能に係合させることを特徴とする請求項１に記載のショーケース。
【請求項５】
前記係合溝が形成された前記ブラケット部材及び前記支持部材の一方は、前記係合突起が前記係合溝に進入することを許容する許容姿勢と、前記係合突起が前記係合溝から離脱することを規制する規制姿勢との間で変位可能に設けられたストッパを備えたことを特徴とする請求項４に記載のショーケース。
【発明の詳細な説明】
【技術分野】
【０００１】
本発明は、ショーケースに関し、より詳細には、例えばスーパーマーケットやコンビニエンスストア等の店舗に設置され、ケース本体の内部に商品を載置するための商品載置棚を備えたショーケースに関するものである。
【背景技術】
【０００２】
従来、例えばスーパーマーケットやコンビニエンスストア等の店舗では、販売商品を商品載置棚に載置させた状態でケース本体の内部に収納するようにしたショーケースが多く適用されている。
【０００３】
商品載置棚は、ブラケット部材及び棚板を備えて構成されている。ブラケット部材は、ケース本体の収納室の背面側において上下方向に所定間隔で係止孔が形成された棚支柱に対し、自身の係止片が所定の係止孔に挿入されることで該棚支柱に支持される左右一対のものである。これらブラケット部材には、スライドレールがネジ等の締結部材を介して締結されている。棚板は、上面が商品を載置する載置面を構成する矩形平板状の形態を成しており、各ブラケット部材に締結されたスライドレールにネジ等の締結部材を介して締結されることで、これらスライドレール間に跨る態様で架設されている。かかる棚板は、ブラケット部材に対して前後方向にスライド可能である（例えば、特許文献１参照）。
【先行技術文献】
【特許文献】
【０００４】
【特許文献１】特開２０１１−１６７３８４号公報
【発明の概要】
【発明が解決しようとする課題】
【０００５】
ところで、上述したショーケースでは、棚板がスライドレールに締結されるとともに、スライドレールがブラケット部材に締結されており、商品載置棚が全体として一体的に構成されていた。しかも商品載置棚は、その強度を保持する観点から構成要素の多くが金属材料から構成されており、重量物であるという特質を有する。
【０００６】
そのため、商品載置棚の設置高さレベルを変更する作業、すなわち配置個所の変更作業を行う場合、重量物である商品載置棚を上下に移動させてからブラケット部材の係止片を所定の係止孔に挿入させる必要があり、作業自体が煩雑なものとなる虞れがあった。
【０００７】
本発明は、上記実情に鑑みて、配置個所の変更作業を容易なものとすることができるショーケースを提供することを目的とする。
【課題を解決するための手段】
【０００８】
上記目的を達成するため、本発明に係るショーケースは、前面に開口を有したケース本体の内部に、互いに離隔する態様で前方に向けて配設された左右一対のブラケット部材と、それぞれが前記ブラケット部材に係合手段を介して係合された支持部材と、前記支持部材間に架設され、上面が商品を載置する載置面を構成する棚板とを備えた商品載置棚を有するショーケースであって、前記係合手段は、前記ブラケット部材に対して前記支持部材を着脱可能に係合させたことを特徴とする。
【０００９】
また本発明は、上記ショーケースにおいて、前記支持部材は、前記ブラケット部材に前記係合手段により係合される長尺状の支持基部と、前記支持基部の前端からの突出寸法が変化するよう該支持基部の長手方向に沿って移動可能に配設され、かつ前記棚板を支持するスライダとを備えたことを特徴とする。
【００１０】
また本発明は、上記ショーケースにおいて、前記スライダは、自身に形成された支持凹部に前記棚板に形成された支持凸部が進入することにより、該棚板を着脱可能に支持することを特徴とする。
【００１１】
また本発明は、上記ショーケースにおいて、前記係合手段は、前記ブラケット部材及び前記支持部材の一方に形成された係合溝と、前記ブラケット部材及び前記支持部材の他方に形成された係合突起とを備え、前記係合突起が前記係合溝に進入して該係合溝の縁部に当接することにより、前記ブラケット部材に対して前記支持部材を着脱可能に係合させることを特徴とする。
【００１２】
また本発明は、上記ショーケースにおいて、前記係合溝が形成された前記ブラケット部材及び前記支持部材の一方は、前記係合突起が前記係合溝に進入することを許容する許容姿勢と、前記係合突起が前記係合溝から離脱することを規制する規制姿勢との間で変位可能に設けられたストッパを備えたことを特徴とする。
【発明の効果】
【００１３】
本発明によれば、係合手段がブラケット部材に対して支持部材を着脱可能に係合させているので、支持部材をブラケット部材から容易に取り外すことができる。これにより、商品載置棚の設置高さレベルを変更する配置個所の変更作業を行う場合に、支持部材を取り外した左右一対のブラケット部材の高さレベルを変更してから該ブラケット部材に支持部材を係合させればよい。つまり、従来のように、重量物である商品載置棚自体を移動させる必要がなく、配置個所の変更作業を容易なものとすることができるという効果を奏する。
【図面の簡単な説明】
【００１４】
【図１】図１は、本発明の実施の形態であるショーケースを概念的に示した断面側面図である。
【図２】図２は、図１に示した１つの商品載置棚を示す正面図である。
【図３】図３は、図１に示した１つの商品載置棚を示す斜視図である。
【図４】図４は、図１に示した１つの商品載置棚を示す分解斜視図である。
【図５】図５は、図４に示したブラケット部材及び支持部材の分解斜視図である。
【図６】図６は、図４に示したブラケット部材の分解斜視図である。
【図７】図７は、図４に示した支持部材の斜視図である。
【図８】図８は、図４に示した棚板の斜視図である。
【図９】図９は、図８に示した棚板の要部を拡大して示す斜視図である。
【図１０】図１０は、ブラケット部材に支持部材を装着する手順を断面で示す説明図である。
【図１１】図１１は、ブラケット部材に支持部材を装着する手順を断面で示す説明図である。
【図１２】図１２は、ブラケット部材に支持部材を装着する手順を断面で示す説明図である。
【図１３】図１３は、図１２に示した支持部材に棚板を装着する手順を断面で示す説明図である。
【図１４】図１４は、棚板を前方にスライドさせた状態を示す商品載置棚の縦断面図である。
【図１５】図１５は、係合溝の変形例を模式的に示す説明図である。
【図１６】図１６は、支持凸部の変形例を模式的に示す説明図である。
【発明を実施するための形態】
【００１５】
以下に添付図面を参照して、本発明に係るショーケースの好適な実施の形態について詳細に説明する。
【００１６】
図１は、本発明の実施の形態であるショーケースを概念的に示した断面側面図である。ここで例示するショーケースは、例えばスーパーマーケットやコンビニエンスストア等の店舗において、販売商品を商品載置棚１０に載置させた状態でケース本体１の内部に収納するようにしたものである。本実施の形態では特に、要冷蔵商品を収納するための冷蔵用ショーケースを例示している。
【００１７】
すなわち、このショーケースでは、ケース本体１の内部に背面板２を設けることによって背面板２とケース本体１の後壁１ａとの間に通風ダクト３を構成するとともに、背面板２より前方に収納室４を構成している。通風ダクト３の内部には、蒸発器５や送風ファン６を配設している。蒸発器５は、図示していないコンデンシングユニットとともに冷凍サイクルを構成し、通過する空気との間において熱交換を行うものである。このショーケースでは、図示せぬコンデンシングユニット及び送風ファン６を駆動すれば、蒸発器５を通過した空気が通風ダクト３を通じて収納室４に循環供給され、収納室４が所望の冷蔵温度に維持されることになる。
【００１８】
ケース本体１は、前面に開口（以下、前面開口ともいう）１ｂを有した箱状を成すもので、収納室４に複数段の商品載置棚１０を備えている。収納室４の各段の商品載置棚１０は、同様の構成を有したものであるから、以下では１つの商品載置棚１０について説明を行う。
【００１９】
図２〜図４は、それぞれ図１に示した１つの商品載置棚１０を示すもので、図２は正面図、図３は斜視図、図４は分解斜視図である。商品載置棚１０は、図２〜図４に示すように、ブラケット部材２０、支持部材３０及び棚板４０を備えて構成してある。
【００２０】
ブラケット部材２０は、背面板２の左右両側の前面に取り付けた棚支柱７から前方に突出するように配設したものである。つまり、ブラケット部材２０は、ケース本体１の内部である収納室４に互いに離隔する態様で前方に向けて配設した左右一対のものである。以下においては便宜上、２つのブラケット部材２０において互いに近接した方向を内側と称し、互いに離反した方向を外側と称して説明する。
【００２１】
ブラケット部材２０は、図５及び図６に示すように、ブラケット基部２１及びブラケット係止部２２を備えて構成してある。ブラケット基部２１は、板金等から形成したものであり、側壁部２１１、底壁部２１２及び天壁部２１３を一体に成形することによって構成してある。
【００２２】
側壁部２１１は、ブラケット基部２１の主要な構成要素であり、前後方向が長手方向となる長尺状部分である。この側壁部２１１は、後端部の上下寸法が該後端部よりも前方側の領域の上下寸法よりも大きく形成してあり、該後端部の後端部分には外側に屈曲する当接片２１１ａが形成してある。底壁部２１２は、側壁部２１１における前端部から中央部に至る下端縁部より外側に向けて延在する水平延在部分である。天壁部２１３は、側壁部２１１における中央部から後端部に至る上端縁部より内側に向けて延在する水平延在部分である。かかる天壁部２１３には、ネジ等の締結部材Ｎにより補強板２３が締結してある。この補強板２３は、例えば板金等から形成したものであり、左右一対のブラケット部材２０同士を連結することにより、該ブラケット部材２０が変形等することを規制するものである。
【００２３】
このようなブラケット基部２１には、複数（図示の例では２つ）の係合溝２４が形成してあるとともにストッパ２５が設けてある。係合溝２４は、側壁部２１１の前端部と中央部とに形成してある。これら係合溝２４は、ともに同じ形状を成しており、上部が開放して下方に延在する下延孔部２４１と、この下延孔部２４１の延在端部より前方に向けて延在する前延孔部２４２とを有してＬ字状をなしている。
【００２４】
ストッパ２５は、例えば板金等を加工して成形した平板状のものである。このストッパ２５は、自身に形成された貫通孔２５ａを貫通するストッパ軸部２５１が側壁部２１１における前方側の係合溝２４の後方領域の内面に取り付けられることにより、ブラケット基部２１に軸支してある。つまりストッパ２５は、ストッパ軸部２５１の中心軸回りに揺動可能となる態様でブラケット基部２１に設けてある。
【００２５】
かかるストッパ２５においては、図５及び図６において前方に向けて突出する規制突起２５ｂが形成してあるとともに、かかる規制突起２５ｂの外縁に連続する湾曲状の規制縁部２５ｃが形成してある。
【００２６】
このようなストッパ２５は、規制縁部２５ｃがストッパ軸部２５１よりも前方側に配置される規制姿勢と、規制縁部２５ｃがストッパ軸部２５１よりも上方側に配置される許容姿勢（図１０参照）との間で揺動可能であり、許容姿勢となる場合には、前方側の係合溝２４を開放している。
【００２７】
ブラケット係止部２２は、ブラケット基部２１と同様に、板金等から形成したものであり、ブラケット基部２１の側壁部２１１の後端部の外面にネジ等の締結部材Ｎを介して締結して取り付けてある。このブラケット係止部２２には、ブラケット基部２１の当接片２１１ａよりも後方に突出する複数（図示の例では３つ）の係止片２２１が形成してある。これら係止片２２１は、棚支柱７の前面に設けられた係止孔７ａの任意に挿入することが可能である。
【００２８】
係止片２２１を係止孔７ａに挿入した場合には、側壁部２１１の当接片２１１ａが棚支柱７の前面に当接することになる。従って、係止片２２１を係止孔７ａに挿入すれば、係止片２２１と当接片２１１ａとの協働により、ブラケット部材２０を棚支柱７の任意の高さに略水平の片持ち状態で支持させることが可能である。
【００２９】
支持部材３０は、図７にも示すように、支持基部３１とスライダ３２とを備えて構成してある。支持基部３１は、例えば板金等から形成したものであり、前後方向が長手方向となる長尺状のものである。この支持基部３１の内面には、複数（図示の例では２つ）の係合突起３４が設けてある。これら係合突起３４は、例えば段付きネジ等により構成してあり、それぞれ取付板３３を介して支持基部３１の内面に内側に突出する態様で取り付けてある。ここで係合突起３４同士の離間距離であるが、ブラケット基部２１における係合溝２４同士の離間距離に等しい大きさとされており、各係合突起３４の頂部３４１の外径は、係合溝２４の幅よりも大きく形成してある。
【００３０】
スライダ３２は、例えば板金等から形成したものであり、スライダ基部３２１及び支持片部３２２を一体に成形することによって構成してある。スライダ基部３２１は、前後方向が長手方向となる長尺状のものである。このスライダ基部３２１は、前後方向の長さが支持基部３１の前後方向の長さよりも大きくなるように構成してある。支持片部３２２は、スライダ基部３２１の上端縁部の一部より内側に向けて延在する水平延在部分である。この支持片部３２２には、スライダ基部３２１に連続する部分の一部に支持凹部３２３が形成してある。支持凹部３２３は、支持片部３２２の一部及びスライダ基部３２１の一部を切り欠くことにより形成してあり、前後方向が長手方向となる長尺状のものである。
【００３１】
このようなスライダ３２は、支持基部３１の外側において、スライド機構３５を介在させて支持基部３１に設けてある。スライド機構３５は、支持基部３１とスライダ３２との間に収容配置してある。このスライド機構３５は、従来公知のものであり、スライダ３２が支持基部３１に対して前後方向にスライドすることを許容するものである。これにより、スライダ３２は、支持基部３１の前端からの突出寸法が変化するよう該支持基部３１の長手方向に沿って移動可能に配設してある。
【００３２】
棚板４０は、上面４０ａが販売商品が載置される載置面を構成する矩形状のもので、例えば板金等から形成したものである。この棚板４０は、左右両側部分が下方に向けて屈曲してあり、後端部分が上方に向けて屈曲してある。
【００３３】
かかる棚板４０には、図８及び図９に示すように、左右両側の下面に棚板補強部４１が設けてある。棚板補強部４１は、例えば板金等から形成したものであり、前後方向に沿って延在する長尺状のものである。この棚板補強部４１には、支持凸部４１１が形成してある。支持凸部４１１は、棚板補強部４１の一部を切り欠くことにより形成された舌片状部分を屈曲させて形成された直方状部材である。この支持凸部４１１は、前後方向の長さが上記支持凹部３２３の前後方向の長さよりも僅かに小さく、しかも左右方向の長さが上記支持凹部３２３の左右方向の長さよりも僅かに小さくなるように構成してある。
【００３４】
上記商品載置棚１０は、次のようにして組み立てられる。図１０に示すように、係止片２２１を任意の係止孔７ａに挿入して棚支柱７の任意の高さにブラケット部材２０を略水平の片持ち状態に支持させる。そして、ストッパ２５を許容姿勢にさせてから支持部材３０を上方から近接させ、係合突起３４を係合溝２４に進入させる。支持部材３０を下方に向けて移動させることにより、図１１に示すように、係合突起３４が係合溝２４の下延孔部２４１を通過してその延在端部である下端部分を占位すると、該支持部材３０を前方に向けて移動させる。これにより、係合突起３４が前延孔部２４２を前方に向けて通過する。その後、係合突起３４が前延孔部２４２の延在端部である前端部分を占位すると、ストッパ２５を下方に揺動させ、図１２に示すように規制姿勢にさせる。これにより係合溝２４に進入した係合突起３４は、前延孔部２４２の縁部に当接して上下方向の移動が規制され、しかも前方側の係合溝２４に進入した係合突起３４は、ストッパ２５の規制縁部２５ｃに接することで前後方向の移動が規制される。これによりブラケット部材２０に対して支持部材３０を係合させることができる。ブラケット部材２０に対して支持部材３０を係合させた後に、図１３に示すように、棚板４０を近接させ、支持凸部４１１を支持部材３０におけるスライダ３２の支持凹部３２３に進入させることにより、図２及び図３に示したように棚板４０を支持部材３０（スライダ３２）間に架設して商品載置棚１０が組み立てられる。
【００３５】
ところで、棚板４０を上方に移動させて支持凸部４１１を支持凹部３２３から離脱させることで、棚板４０をスライダ３２から取り外すことができる。つまり、スライダ３２は、棚板４０を着脱可能に支持している。そして、ストッパ２５を上方に揺動させて許容姿勢にさせた後、係合突起３４を係合溝２４から離脱させることで、支持部材３０をブラケット部材２０から取り外すことができる。つまり、支持部材３０は、ブラケット部材２０に対して着脱可能に係合している。このように本実施の形態においては、係合溝２４及び係合突起３４がブラケット部材２０に対して支持部材３０を着脱可能に係合させる係合手段を構成している。
【００３６】
以上説明したように本実施の形態であるショーケースによれば、支持部材３０がブラケット部材２０に着脱可能に係合しているので、支持部材３０をブラケット部材２０から容易に取り外すことができる。これにより、商品載置棚１０の設置高さレベルを変更する配置個所の変更作業を行う場合に、支持部材３０を取り外した左右一対のブラケット部材２０の高さレベルを変更してから該ブラケット部材２０に支持部材３０を係合させればよい。つまり、従来のように、重量物である商品載置棚自体を移動させる必要がなく、配置個所の変更作業を容易なものとすることができる。
【００３７】
上記ショーケースによれば、支持部材３０を構成するスライダ３２が棚板４０を着脱可能に支持しているので、棚板４０をスライダ３２から容易に取り外すことができる。従って、商品載置棚１０の配置個所の変更作業を行う場合に、支持部材３０を単独でブラケット部材２０に装着させることができ、該変更作業を容易なものとすることができる。
【００３８】
上記ショーケースによれば、ブラケット部材２０に設けられたストッパ２５が、係合突起３４が係合溝２４に進入することを許容する許容姿勢と、係合突起３４が係合溝２４から離脱することを規制する規制姿勢との間で揺動可能であるので、ストッパ２５が規制姿勢になることで前方側の係合溝２４に進入した係合突起３４が該係合溝２４から離脱することを規制することができる。これにより、図１４に示すように、棚板４０が前方にスライドした場合に、販売商品が載置されていたとしても係合突起３４が係合溝２４から離脱することを防止することができる。
【００３９】
以上、本発明の好適な実施の形態について説明したが、本発明はこれに限定されるものではなく、種々の変更を行うことができる。
【００４０】
上述した実施の形態では、ブラケット部材２０に形成された係合溝２４と、支持部材３０に設けられた係合突起３４とで係合手段を構成していたが、本発明においては、係合手段は、ブラケット部材に対して支持部材を着脱可能に係合させることができればその形態は特に限定されない。すなわち、係合突起がブラケット部材に設けられ、係合溝が支持部材に設けられていてもよい。
【００４１】
上述した実施の形態では、係合溝２４はＬ字状をなしていたが、本発明においては、図１５に示すように、係合溝２４′は、上部が開放して上下方向に沿って延在する長孔形状のものであってもよい。また係合溝は、例えば湾曲状の形態をなしていてもよい。
【００４２】
上述した実施の形態では、支持部材３０は、スライド機構３５を備えて、スライダ３２が支持基部３１の前端からの突出寸法が変化するよう該支持基部３１の長手方向に沿って移動可能に配設してあったが、本発明においては、支持部材は、スライド機構を備えていなくてもよい。
【００４３】
上述した実施の形態では、ストッパ２５は、係合突起３４が係合溝２４に進入することを許容する許容姿勢と、係合突起３４が係合溝２４から離脱することを規制する規制姿勢との間で揺動可能に設けられていたが、本発明においては、ストッパは、許容姿勢と規制姿勢との間で変位可能であればよく、例えばスライドするものであってもよい。またストッパは、ブラケット部材に設けられている必要もない。
【００４４】
上述した実施の形態では、支持凸部４１１は、直方状の形態をなしていたが、本発明においては、図１６に示すように、支持凸部４１１′は、前後方向が長手方向となる長尺状のものであって、前方下面４１１ａが前方に向かうにつれて漸次上方に傾斜するとともに、後方下面４１１ｂが後方に向かうにつれて漸次上方に傾斜していてもよい。これによれば、ブラケット部材２０に係合した支持部材３０に対して棚板４０を前後方向に移動させることで支持凸部４１１′を支持凹部３２３に容易に挿入あるいは離脱させることができる。
【符号の説明】
【００４５】
１  ケース本体
１ｂ  開口
２  背面板
４  収納室
７  棚支柱
１０  商品載置棚
２０  ブラケット部材
２１  ブラケット基部
２１１  側壁部
２１２  底壁部
２１３  天壁部
２２  ブラケット係止部
２２１  係止片
２３  補強板
２４  係合溝
２４１  下延孔部
２４２  前延孔部
２５  ストッパ
２５１  ストッパ軸部
２５ｂ  規制突起
２５ｃ  規制縁部
３０  支持部材
３１  支持基部
３２  スライダ
３２１  スライダ基部
３２２  支持片部
３２３  支持凹部
３４  係合突起
３５  スライド機構
４０  棚板
４０ａ  上面
４１  棚板補強部
４１１  支持凸部
【図１】
2019136333.tif 000003
【図２】
2019136333.tif 000004
【図３】
2019136333.tif 000005
【図４】
2019136333.tif 000006
【図５】
2019136333.tif 000007
【図６】
2019136333.tif 000008
【図７】
2019136333.tif 000009
【図８】
2019136333.tif 000010
【図９】
2019136333.tif 000011
【図１０】
2019136333.tif 000012
【図１１】
2019136333.tif 000013
【図１２】
2019136333.tif 000014
【図１３】
2019136333.tif 000015
【図１４】
2019136333.tif 000016
【図１５】
2019136333.tif 000017
【図１６】
2019136333.tif 000018